(57)【要約】【課題】他の機器と接続するために通常の駆動電圧よりも高い駆動電圧を必要とする携帯通信機器に対して省電力化を図ることができる定電圧供給回路を提供すること。【解決手段】本発明の定電圧供給回路１は、電源電圧から第１の定電圧を生成する第１のレギュレータ６、電源電圧から第１の定電圧よりも高い第２の定電圧を生成する第２のレギュレータ７およびそれらに接続された切替回路９を有している。接続端子８に対して外部端子未接続時に、切替回路９は第２のレギュレータ７を作動させずに第１の定電圧のみを第１の回路３および第２の回路４に供給する。また、外部端子接続時に、切替回路９は、第１のレギュレータ６および第２のレギュレータ７を作動させ、第１の定電圧を第１の回路３に供給し、第２の定電圧を第２の回路４に供給する。これより外部端子未接続時に不必要な高電圧の供給を防止することができ、省電力化を図ることができる。【選択図】図１
2007274753.tif 000002
【特許請求の範囲】
【請求項１】
第１の回路および第２の回路を駆動させるための電圧を供給する電源と、
前記電源より供給される電圧から第１の定電圧を生成する第１のレギュレータと、
前記電源より供給される電圧から前記第１の定電圧よりも高い定電圧である第２の定電圧を生成する第２のレギュレータと、
前記電源と異なる電源から少なくとも定電圧が供給されている外部端子に対して接続自在に形成されている接続端子と、
前記外部端子が前記接続端子に接続されていないときには前記第２のレギュレータを作動させずに前記第１のレギュレータにより生成された第１の定電圧のみを前記第１の回路および前記第２の回路に供給し、前記外部端子が前記接続端子に接続されているときは前記第１の定電圧を前記第１の回路に供給するとともに前記第２の定電圧を前記第２の回路に供給するように形成されている切替回路と
を備えていることを特徴とする定電圧供給回路。
【請求項２】
前記切替回路は、前記第１の回路の入力端子に接続される前記第１のレギュレータの出力端子を前記第２の回路の入力端子に接続される前記第２のレギュレータの出力端子に接続する第１のバッファと、前記第２のレギュレータの電源端子に前記接続端子を接続する入力線と、前記接続端子を前記第１のバッファの電源端子に接続する論理インバータとを有している
ことを特徴とする請求項１に記載の定電圧供給回路。
【請求項３】
前記切替回路は、前記第２のレギュレータの出力端子と前記第１のバッファの出力端子との間に、前記論理インバータから供給された出力電圧を反転させて得た反転電圧を駆動源として駆動する第２のバッファを有している
ことを特徴とする請求項２に記載の定電圧供給回路。
【請求項４】
前記接続端子は、ＵＳＢ端子またはＵＳＢ端子を介して接続される端子であり、
前記第２のレギュレータは３．１Ｖ以上の定電圧を前記第２の定電圧として生成する
ことを特徴とする請求項１から請求項３のいずれか１項に記載の定電圧供給回路。
【請求項５】
請求項１から請求項４のいずれか１項に記載の定電圧供給回路と、
前記第１の回路として前記定電圧供給回路に接続されている通信回路と
を備えており、
前記通信回路はブルートゥースに関する無線通信回路であり、
前記第１のレギュレータは１．８Ｖ以上の電圧であって第２の定電圧よりも低い定電圧を前記第１の定電圧として生成する
ことを特徴とする携帯通信機器。
【請求項６】
前記第２の回路として前記定電圧供給回路に接続されている制御回路を備えており、
前記制御回路は、前記外部端子を介して前記接続端子から得られたファームウェアの変更情報に基づいて予め記憶されたファームウェアをアップデートするように形成されている
ことを特徴とする請求項５に記載の携帯通信機器。
【請求項７】
前記制御回路は、イヤホーンもしくはヘッドホーンに用いられるスピーカの駆動を制御するように形成されている
ことを特徴とする請求項５または請求項６に記載の携帯通信機器。
【発明の詳細な説明】
【技術分野】
【０００１】
本発明は、定電圧供給回路および携帯通信機器に係り、特に、ファームウェア・アップデート機能を有するワイヤレス・ヘッドセットなどの携帯通信機器であって、そのファームウェア・アップデート機能に係る回路に対して通常の駆動電圧よりも高い駆動電圧を供給する必要のある携帯通信機器に好適に利用することができる定電圧供給回路および携帯通信機器に関する。
【背景技術】
【０００２】
携帯電話機や音楽再生用携帯機器（ミュージック・プレイヤ）などの利用頻度の増加に伴い、コードレス・ヘッドセットやコードレス・ヘッドホーンなどの無線通信機能を備えた小型電子機器である携帯通信機器が頻繁に用いられているようになってきている。
【０００３】
従来の携帯通信機器１０１は、図３に示すように、定電圧供給回路１０２となるボタン電池や単四電池などのバッテリ１０５および第１のレギュレータ１０６と、その第１のレギュレータ１０６に接続される無線通信回路１０３および制御回路１０４を備えている。ここで、ブルートゥースによる無線通信技術に基づいて無線通信回路１０３を形成した場合、無線通信回路１０３および制御回路１０４を１．８Ｖ程度の低い駆動電圧により駆動させることができる。そのため、バッテリ１０５の供給電圧から１．８Ｖ程度の定電圧を第１のレギュレータ１０６により生成して無線通信回路１０３および制御回路１０４に所定の電圧を供給することにより、携帯通信機器１０１の省電力化を図ることができるので、３．１Ｖ程度の駆動電圧を必要とする携帯通信機器１０１よりも携帯通信機器１０１の連続駆動時間を長くすることができる（特許文献１を参照）。
【０００４】
【特許文献１】特開２００２−２７１４５３号公報
【発明の開示】
【発明が解決しようとする課題】
【０００５】
しかしながら、図４に示すように、従来の携帯通信機器１０１においてファームウェア・アップデート機能を有する制御回路１０４を用いる場合、ＵＳＢ端子１０８を経由してファームウェア・アップデートを行なうことになる。このＵＳＢ端子１０８に接続される回路は３．１Ｖ以上の駆動電圧を必要とするため、従来においては、図４に示すように、その制御回路１０４に対してＵＳＢ駆動電圧となる３．１Ｖ以上の定電圧を供給するための第２のレギュレータを接続しなければならない。そのため、従来の携帯通信機器１０１および定電圧供給回路１０２においては、電源電圧が３．３Ｖ付近まで電圧降下すると、３．１Ｖ程度の定電圧を生成する第２のレギュレータの消費電流が著しく増大するので、バッテリ１０５の駆動時間に影響を及ぼしていた。その結果、携帯通信機器１０１の省電力化を図ることが難しく、携帯通信機器１０１の連続駆動時間を延長することができないという問題があった。
【０００６】
そこで、本発明はこれらの点に鑑みてなされたものであり、他の機器と接続するために通常の駆動電圧よりも高い駆動電圧を必要とする携帯通信機器に対してその省電力化を図ることができる定電圧供給回路を提供することをその目的としている。
【０００７】
また、本発明は、他の機器と接続するために通常の駆動電圧よりも高い駆動電圧を必要とする携帯通信機器であってその省電力化を図ることができる携帯通信機器を提供することを他の目的としている。
【課題を解決するための手段】
【０００８】
前述した目的を達成するため、本発明の定電圧供給回路は、その第１の態様として、第１の回路および第２の回路を駆動させるための電圧を供給する電源と、電源から供給される電圧から第１の定電圧を生成する第１のレギュレータと、電源から供給される電圧から第１の定電圧よりも高い定電圧である第２の定電圧を生成する第２のレギュレータと、前述した電源と異なる電源から少なくとも定電圧が供給されている外部端子に対して接続自在に形成されている接続端子と、外部端子が接続端子に接続されていないときには第２のレギュレータを作動させずに第１のレギュレータにより生成された第１の定電圧のみを第１の回路および第２の回路に供給し、外部端子が接続端子に接続されているときは第１の定電圧を第１の回路に供給するとともに第２の定電圧を第２の回路に供給するように形成されている切替回路とを備えていることを特徴としている。
【０００９】
本発明の第２の態様の定電圧供給回路は、第１の態様の定電圧供給回路において、切替回路が、第１の回路の入力端子に接続される第１のレギュレータの出力端子を第２の回路の入力端子に接続される第２のレギュレータの出力端子に接続する第１のバッファと、第２のレギュレータの電源端子に接続端子を接続する入力線と、接続端子を第１のバッファの電源端子に接続する論理インバータとを有していることを特徴としている。
【００１０】
本発明の第３の態様の定電圧供給回路は、第２の態様の定電圧供給回路において、切替回路が、第２のレギュレータの出力端子と第１のバッファの出力端子との間に、論理インバータから供給された出力電圧を反転させて得た反転電圧を駆動源として駆動する第２のバッファを有していることを特徴としている。
【００１１】
本発明の第４の態様の定電圧供給回路は、第１から第３のいずれか１の態様の定電圧供給回路において、接続端子がＵＳＢ端子またはＵＳＢ端子を介して接続される端子であり、第２のレギュレータが３．１Ｖ以上の定電圧を第２の定電圧として生成することを特徴としている。
【００１２】
また、本発明の携帯通信機器は、その第１の態様として、第１から第４のいずれか１の態様の定電圧供給回路と、第１の回路として定電圧供給回路に接続されている通信回路とを備えており、通信回路がブルートゥースに関する無線通信回路であり、第１のレギュレータが１．８Ｖ以上の電圧であって第２の定電圧よりも低い定電圧を第１の定電圧として生成することを特徴としている。
【００１３】
本発明の第２の態様の携帯通信機器は、第１の態様の定電圧供給回路において、第２の回路として定電圧供給回路に接続されている制御回路を備えており、制御回路が外部端子を介して接続端子から得られたファームウェアの変更情報に基づいて予め記憶されたファームウェアをアップデートするように形成されていることを特徴としている。
【００１４】
本発明の第３の態様の携帯通信機器は、第１または第２の態様の携帯通信機器において、制御回路がイヤホーンもしくはヘッドホーンに用いられるスピーカの駆動を制御するように形成されていることを特徴としている。
【発明の効果】
【００１５】
本発明の第１の態様の定電圧供給回路によれば、外部端子が接続されたときのみ第２のレギュレータを作動させて第２の回路に第２の定電圧を供給するので、外部端子が接続されていないときに不必要な高電圧の供給を防止することができ、電源の省電力化を図ることができるという効果を奏する。
【００１６】
本発明の第２の態様の定電圧供給回路によれば、複雑な制御回路を必要とすることなく少数のゲート（回路）の組み合わせにより所望の電圧を適宜供給することができるので、定電圧供給回路の製造コストを低下させることができるとともに、部品点数の削減による定電圧供給回路の省スペース化を図ることができるという効果を奏する。
【００１７】
本発明の第３の態様の定電圧供給回路によれば、外部端子の未接続時に第１のレギュレータにより生成された第１の定電圧が第２のレギュレータに供給されることを第２のバッファが防止するので、第２のレギュレータが破損するおそれを未然に解消することができるという効果を奏する。
【００１８】
本発明の第４の態様の定電圧供給回路によれば、ＵＳＢ端子を介して外部回路と接続される第２の回路に対してＵＳＢインターフェイスに必要な３．１Ｖ以上の電圧が供給されるので、外部端子の接続時において第２の回路が外部回路に対して入出力信号をＵＳＢ端子を介して送受信することができるという効果を奏する。
【００１９】
また、本発明の第１の態様の携帯通信機器によれば、接続端子に未接続時においては所定の通信回路を駆動させるのに必要な駆動電圧のみが第１のレギュレータから第１の回路（通信回路）に供給されるので、電源の省電力化を図ることができるという効果を奏する。
【００２０】
本発明の第２の態様の携帯通信機器によれば、接続端子の未接続時においては制御回路に通常の制御を行なわせるとともに、接続端子の接続時においてのみファームウェア・アップデートに必要な駆動電圧（例えばＵＳＢ駆動電圧）を制御回路に供給して制御回路にファームウェア・アップデート制御を行なわせることができるという効果を奏する。
【００２１】
本発明の第３の態様の携帯通信機器によれば、制御回路がスピーカを制御するので、長時間駆動できるワイヤレス・ヘッドセットとして本発明の携帯通信機器を使用することができるという効果を奏する。
【発明を実施するための最良の形態】
【００２２】
以下、図１および図２を用いて、本発明の携帯通信機器および定電圧供給回路の実施形態を説明する。
【００２３】
図１および図２は、本発明の２つの実施形態をそれぞれ示している。これら２つの実施形態は共通点が多いので、同時に説明する。本実施形態の携帯通信機器１は、例えば携帯電話機やミュージック・プレイヤー、ＰＤＡなどの無線により他の機器と音声信号を送受信するワイヤレス・ヘッドセットとして用いるため、その筐体の内部に、スピーカ、マイク、定電圧供給回路２、無線通信回路３および制御回路４を備えている。ここで、スピーカおよびマイクは、一般的なヘッドセットに用いられる携帯性に優れたスピーカおよびマイクが用いられており、制御回路４によってその駆動が制御されるように形成されている。また、本実施形態の携帯通信機器１は、その筐体（図示せず）の内部に、定電圧供給回路２、無線通信回路３および制御回路４を備えている。
【００２４】
本実施形態の定電圧供給回路２は、図１もしくは図２に示すように、電源５、第１のレギュレータ６、第２のレギュレータ７、接続端子８および切替回路９を備えており、その切替回路９に無線通信回路３および制御回路４の各入力端子３ａ、４ａがそれぞれ接続されている。
【００２５】
電源５としては、携帯性に優れるボタン電池や小型充電式電池が用いられている。この電源５は第１のレギュレータ６および第２のレギュレータ７に接続されている。
【００２６】
第１のレギュレータ６としてはレギュレータＩＣが用いられており、そのレギュレータＩＣは電源５から供給される電源電圧に基づいて１．８Ｖ〜２．０Ｖ程度の定電圧（以下、「第１の定電圧」という。）を生成するように設定されている。また、この第１のレギュレータ６は、その筐体の周縁において、少なくとも入力端子６ａ、出力端子６ｂおよびチップ・イネーブル端子６ｃを有している。図１および図２に示すように、入力端子６ａは、電源５に接続されている。出力端子６ｂは切替回路９に接続されている。チップ・イネーブル端子６ｃはその入力端子６ａと並列に接続されている。
【００２７】
第２のレギュレータ７としてはレギュレータＩＣが用いられており、そのレギュレータＩＣは電源５から供給される電源電圧に基づいて３．１Ｖ〜３．３Ｖ程度の定電圧（以下、「第２の定電圧」という。）を生成するように設定されている。また、この第２のレギュレータ７は、その筐体の周縁において、少なくとも入力端子７ａ、出力端子７ｂおよびチップ・イネーブル端子７ｃを有している。図１および図２に示すように、入力端子７ａは第１のレギュレータ６の入力端子６ａと並列になるように電源５に接続されている。出力端子７ｂは切替回路９に接続されている。チップ・イネーブル端子７ｃは切替回路９の入力線１１を介して電源供給源となる接続端子８の電源入力端子８ａに接続されており、本発明における第２のレギュレータ７の電源端子として用いられている。
【００２８】
接続端子８としては、受け側用小型ＵＳＢ（ユニバーサル・シリアル・バス）端子となるシリーズＭｉｎｉ−Ｂ型ＵＳＢジャックが用いられている。このジャックは、２本の信号線（図示せず）、電源出力端子（図示せず）および電源入力端子８ａを有している。この２本の信号線および電源出力端子は制御回路４に接続されている。電源入力端子８ａは切替回路９の入力線１１を介して第２のレギュレータ７のチップ・イネーブル端子７ｃおよび制御回路４に接続されている（制御回路４との接続状況は図示せず）。また、この接続端子８はシリーズＭｉｎｉ−Ｂ型ＵＳＢプラグ形状の外部端子（図示せず）と接続自在になっており、この外部端子はパーソナル・コンピュータなどのホスト機器（図示せず）に接続されている。すなわち、接続端子８に外部端子を接続した際、接続端子８の電源入力端子８ａを介して外部端子から接続端子８にホスト機器（外部電源）から供給される外部電圧が供給され、また接続端子８の電源出力端子および外部端子を介して接続端子８からホスト機器へ制御回路４からの接続確認電圧が供給されるように形成されている。
【００２９】
なお、接続端子８の他の例としては、ワイヤレス・ヘッドセット（携帯通信機器）１に用いられる図示しない格納台（ドック）や支持台（スタンド）に形成された変換端子（図示せず）を介して外部端子と接続端子８とを接続する際に、その変換端子と接続端子８とを接続自在とする形状に接続端子８が形成されていても良い。
【００３０】
切替回路９としては、外部端子が接続端子８に接続されていないときには第２のレギュレータ７を作動させずに第１のレギュレータ６により生成された第１の定電圧のみを無線通信回路３および制御回路４に供給するように形成されている回路が用いられている。また、この切替回路９は、外部端子が接続端子８に接続されているとき、第１の定電圧を無線通信回路３に供給するとともに、第２の定電圧を制御回路４に供給するようにも形成されている。
【００３１】
具体的には、本実施形態の切替回路９としては、少なくとも第１のバッファ１０、入力線１１および論理インバータ１２を有する回路が用いられている。この切替回路９は、第１のレギュレータ６の出力端子６ｂ、第２のレギュレータ７の出力端子７ｂおよび接続端子８の電源入力端子８ａにそれぞれ接続されている。また、この切替回路９は、無線通信回路（第１の回路）３の入力端子３ａ、制御回路（第２の回路）４の入力端子４ａおよび第２のレギュレータ７のチップ・イネーブル端子７ｃにそれぞれ接続されている。
【００３２】
ここで、第１のバッファ１０としては、その入力電圧と同じ電圧が出力されるバッファＩＣが用いられている。図１に示すように、第１のバッファ１０の入力端子１０ａは、無線通信回路３の入力端子３ａに接続される第１のレギュレータ６の出力端子６ｂに接続されている。また、第１のバッファ１０の出力端子１０ｂは、制御回路４の入力端子４ａに接続される第２のレギュレータ７の出力端子７ｂに接続されている。この第１のバッファ１０により、第１のレギュレータ６の出力端子６ｂと第２のレギュレータ７の出力端子７ｂとは並列に接続されている。
【００３３】
入力線１１としては、一般的な配線が用いられている。この入力線１１は、第２のレギュレータ７のチップ・イネーブル端子７ｃと接続端子８の電源入力端子８ａとを接続している。
【００３４】
論理インバータ１２としては、ＮＯＴゲート回路が用いられている。論理インバータ１２の入力端子１２ａは、第２のレギュレータ７のチップ・イネーブル端子７ｃと並列になるように接続端子８の電源入力端子８ａに接続されている。また、図１に示すように、論理インバータ１２の出力端子１２ｂは、少なくとも第１のバッファ１０のイネーブル端子（電源端子）１０ｃに接続されている。
【００３５】
なお、図２に示すように、切替回路９は第２のバッファ１３を有していることが好ましい。その際、第２のバッファ１３の入力端子３ａは第２のレギュレータ７の出力端子７ｂと接続されており、その出力端子７ｂは第１のバッファ１０の出力端子１０ｂと並列になるように制御回路４の入力端子４ａに接続されている。また、第２のバッファ１３は、そのイネーブル端子１３ｃから入力された電圧を反転させた電圧を駆動電圧として用いて駆動するように形成されており、そのイネーブル端子１３ｃに論理インバータ１２の出力端子１２ｂが接続されている。すなわち、第２のバッファ１３は、論理インバータ１２から供給された出力電圧を反転させて得た反転電圧を駆動源として駆動するように接続されている。
【００３６】
無線通信回路３としては、図１もしくは図２に示すように、ブルートゥースによる無線通信技術を用いて音声信号などの電気信号を送受信する回路が用いられている。この無線通信回路３は、第１の定電圧を駆動源として駆動するように形成されている。また、この無線通信回路３は、第１のレギュレータ６の出力端子６ｂおよび第１のバッファ１０の入力端子１０ａに接続されており、本発明の第１の回路として用いられている。なお、本実施形態においては利便性を向上させるために無線通信回路３を用いたが、他の実施形態においては、この無線通信回路３を有線通信回路に置き換えて形成されていても良い。
【００３７】
制御回路４としては、携帯性に優れた大きさの処理演算回路（図示せず）や記憶回路（図示せず）などを有する回路が用いられている。この制御回路４は、前述したスピーカおよびマイクの駆動を制御する機能（以下、「駆動制御機能」という。）と、外部端子および接続端子８を介してホスト機器から得られるファームウェアの変更情報に基づいて記憶回路に予め記憶された初期のファームウェアをアップデートする機能（以下、「アップデート機能」という。）とを有するように形成されており、本発明の第２の回路として用いられている。また、この制御回路４は、第２のレギュレータ７の出力端子７ｂ（もしくは第２のバッファ１３の出力端子１３ｂ）および第１のバッファ１０の出力端子１０ｂに接続されており、第１の定電圧が供給されたときには駆動制御機能が働き、第２の定電圧が供給されたときには駆動制御機能およびアップデート機能が働くように形成されている。
【００３８】
次に、図１および図２を用いて、本実施形態の携帯通信機器１および定電圧供給回路２の作用を説明する。
【００３９】
前述したように、本実施形態の携帯通信機器１は、図１または図２に示すように、定電圧供給回路２、無線通信回路（第１の回路）３、制御回路（第２の回路）４、スピーカおよびマイク（共に図示せず）を備えている。また、定電圧供給回路２は、電源５、第１のレギュレータ６、第２のレギュレータ７、接続端子８および切替回路９を備えている。
【００４０】
電源５は第１のレギュレータ６の入力端子６ａおよび第２のレギュレータ７の入力端子７ａに電源電圧を供給する。第１のレギュレータ６のチップ・イネーブル端子６ｃはその入力端子６ａに並列に接続されているので、電源電圧は第１のレギュレータ６のチップ・イネーブル端子６ｃにも入力される。これより、第１のレギュレータ６は電源電圧を駆動源として駆動することができる。そのため、第１のレギュレータ６は電源電圧に基づいて第１の定電圧（１．８Ｖ〜２．０Ｖ程度の定電圧）を生成することができ、その第１の定電圧は切替回路９に供給される。
【００４１】
一方、第２のレギュレータ７については、その入力端子７ａが電源５に接続されており、そのチップ・イネーブル端子７ｃが切替回路９の入力線１１を介して接続端子８に接続されている。そのため、外部端子が接続端子８に接続されているか否かに応じて第２のレギュレータ７が駆動するか否かが決定される。
【００４２】
ファームウェアのアップデートを行なわないとき、すなわち外部端子が接続端子８に接続されていないとき、第２のレギュレータ７の駆動電圧となるホスト機器（外部電源）からの電圧は第２のレギュレータ７のチップ・イネーブル端子７ｃへ供給されないので、第２のレギュレータ７はその入力端子７ａに入力された電源電圧に基づいて第２の定電圧（３．１Ｖ〜３．３Ｖ程度の定電圧）を生成することはない。よって、第２の定電圧は切替回路９に供給されることはない。
【００４３】
また、図１に示すように、外部端子が接続端子８に接続されていないとき、論理インバータ１２は入力端子１２ａに入力される低電圧（例えば＋０Ｖの外部電圧）を高電圧（例えば＋５Ｖ）に反転させるので、その高電圧は第１のバッファ１０のイネーブル端子１０ｃに入力される。すると、第１のバッファ１０はその高電圧を駆動源として駆動することができるので、第１の定電圧は第１のレギュレータ６の出力端子６ｂに直接接続された無線通信回路３だけでなく、第１のバッファ１０を介して第１のレギュレータ６の出力端子６ｂに接続された制御回路４にも供給される。
【００４４】
つまり、外部端子が接続端子８に接続されていないとき、切替回路９は第２のレギュレータ７を作動させずに第１のレギュレータ６のみを作動させるとともに、第１のレギュレータ６により生成された第１の定電圧（１．８Ｖ〜２．０Ｖ程度の定電圧）のみを無線通信回路（第１の回路）３および制御回路（第２の回路）４に供給することができる。そのため、制御回路４のアップデート機能を利用しないときにおいては、制御回路（第２の回路）４に対して駆動制御機能を駆動させるのに不必要な第２の定電圧（３．１Ｖ〜３．３Ｖ程度の高い定電圧）が供給されることを防止し、スピーカやマイクを駆動制御するのに必要な第１の定電圧（１．８Ｖ〜２．０Ｖ程度の定電圧）のみを無線通信回路３および制御回路４に供給することができる。
【００４５】
それに対して、ファームウェアのアップデートを行なうとき、すなわち外部端子が接続端子８に接続されているとき、ホスト機器からの電圧が接続端子８および入力線１１を介して第２のレギュレータ７のチップ・イネーブル端子７ｃに供給されるので、第２のレギュレータ７はその入力端子７ａに入力された電源電圧に基づいて第２の定電圧を生成し、その第２の定電圧を切替回路９に供給する。
【００４６】
また、図１に示すように、外部端子が接続端子８に接続されているとき、論理インバータ１２はその入力端子１２ａに入力された高電圧（例えば＋５Ｖの外部電圧）を低電圧（例えば＋０Ｖ）に反転させるので、その低電圧は第１のバッファ１０のイネーブル端子１０ｃに入力される。すると、第１のバッファ１０は駆動電圧が低いために駆動することができないので、第１の定電圧は制御回路４に供給されず、第１のレギュレータ６の出力端子６ｂに直接接続された無線通信回路３にのみ供給されることになる。また、第２の定電圧は第２のレギュレータ７の出力端子７ｂに直接接続された制御回路４にのみ供給されることになる。
【００４７】
つまり、外部端子が接続端子８に接続されているとき、切替回路９は、第１のレギュレータ６および第２のレギュレータ７を作動させることができるとともに、第１のレギュレータ６により生成された第１の定電圧（１．８Ｖ〜２．０Ｖ程度の低い定電圧）を無線通信回路（第１の回路）３に供給し、第２のレギュレータ７により生成された第２の定電圧（３．１Ｖ〜３．３Ｖ程度の高い定電圧）を制御回路（第２の回路）４に供給することができる。そのため、制御回路４のアップデート機能を利用するときには、制御回路（第２の回路）４に対して駆動制御機能およびアップデート機能を利用するのに必要な第２の定電圧（３．１Ｖ〜３．３Ｖ程度の高い定電圧）を供給することができる。制御回路４に供給された第２の定電圧はＵＳＢインターフェイス（接続端子８）に必要な３．１Ｖ程度の電圧として利用することができるので、この制御回路４は図示しないＵＳＢ端子（接続端子８）の２本の信号線を介してファームウェアのアップデートを行なうことができる。
【００４８】
さらに、図２に示すように、切替回路９が第２のレギュレータ７と制御回路４との間に第２のバッファ１３を有している場合、第１の定電圧から第２のレギュレータ７を保護することができる。具体的に説明すると、外部端子が接続端子８に接続されていないときは、論理インバータ１２から出力された高電圧に対する反転電圧（低電圧）が第２のバッファ１３のイネーブル端子１３ｃに入力されるので、第２のバッファ１３は駆動することができない。これにより、第１のレギュレータ６から第１のバッファ１０を介して第２のバッファ１３の出力端子１３ｂに供給される第１の定電圧が第２のバッファ１３を通過して第２のレギュレータ７に供給されることを防止し、第２のレギュレータ７が第１の定電圧により破損するおそれを未然に解消することができる。
【００４９】
それに対して、外部端子が接続端子８に接続されているときは、論理インバータ１２から出力された低電圧に対する反転電圧（高電圧）が第２のバッファ１３のイネーブル端子１３ｃに入力されるので、第２のバッファ１３は駆動することができ、第１のバッファ１０は前述したように駆動することができない。これにより、切替回路９は、第１の定電圧を無線通信回路３に供給することができるとともに、第２のバッファ１３に阻害されることなく第２の定電圧を制御回路４に供給することができる。
【００５０】
すなわち、図１および図２に示す本実施形態の携帯通信機器１および定電圧供給回路２によれば、外部端子が接続されたときのみ第２のレギュレータ７を作動させて第２の回路に第２の定電圧を供給するので、外部端子が接続されていないときに不必要な高電圧の供給を防止することができる。
【００５１】
また、従来の携帯通信機器１０１および定電圧供給回路１０２においては、電源電圧が３．３Ｖ付近まで電圧降下すると３．１Ｖ程度の定電圧（第２の定電圧）を生成する第２のレギュレータ７の消費電流が著しく増大していたのでバッテリ１０５の駆動時間に影響を及ぼしていた。しかし、本実施形態の携帯通信機器および定電圧供給回路２においては、電源電圧が２．０Ｖ付近になるまで第１のレギュレータ６および第２のレギュレータ７の消費電流を安定させることができる。これより、携帯通信機器１の駆動時間が従来の１．５〜２．０倍となり、電源５の省電力化を図ることができる。
【００５２】
なお、本発明は、前述した実施形態などに限定されるものではなく、必要に応じて種々の変更が可能である。
【図面の簡単な説明】
【００５３】
【図１】本発明の携帯通信機器および定電圧供給回路についての一実施形態を示す回路図
【図２】本実施形態の定電圧供給回路において第２のバッファ１３を有する他の実施形態を示す回路図
【図３】従来の携帯通信機器および定電圧供給回路についての一実施例を示す回路図
【図４】従来の携帯通信機器および定電圧供給回路についてＵＳＢ端子を有する場合の回路図
【符号の説明】
【００５４】
１  携帯通信機器（ワイヤレス・ヘッドセット）
２  定電圧供給回路
３  無線通信回路（第１の回路）
３ａ  入力端子
４  制御回路（第２の回路）
４ａ  入力端子
５  電源
６  第１のレギュレータ
６ａ  入力端子
６ｂ  出力端子
６ｃ  チップ・イネーブル端子
７  第２のレギュレータ
７ａ  入力端子
７ｂ  出力端子
７ｃ  チップ・イネーブル端子
８  接続端子
８ａ  電源入力端子
９  切替回路
１０  第１のバッファ
１０ａ  入力端子
１０ｂ  出力端子
１０ｃ  イネーブル端子
１１  入力線
１２  論理インバータ
１２ａ  入力端子
１２ｂ  出力端子
１３  第２のバッファ
１３ｂ  出力端子
１３ｃ  イネーブル端子
【図１】
2007274753.tif 000003
【図２】
2007274753.tif 000004
【図３】
2007274753.tif 000005
【図４】
2007274753.tif 000006